(57)【要約】【課題】音量などの切替操作が容易にできる加熱調理器を提供する。【解決手段】加熱調理器は、被加熱物を加熱する加熱手段と、加熱手段により加熱される被加熱物の加熱状態を音声で報知する音声報知手段と、音声報知手段の報知音声の設定を切り替える音声操作スイッチと、音声操作スイッチの操作に応じて、音声報知手段から発せられる音声報知の切替設定の操作方法を音声で報知するよう音声報知手段を制御する切替制御手段とを備えている。【選択図】図３
2018141612.tif 000002
【特許請求の範囲】
【請求項１】
被加熱物を加熱する加熱手段と、
前記加熱手段により加熱される被加熱物の加熱状態を音声で報知する音声報知手段と、
前記音声報知手段の報知音声の設定を切り替える音声操作スイッチと、
前記音声操作スイッチの操作に応じて、前記音声報知手段から発せられる音声報知の切替設定の操作方法を音声で報知するよう前記音声報知手段を制御する切替制御手段と
を備えたことを特徴とする加熱調理器。
【請求項２】
前記切替設定は、前記音声報知手段の報知音声の音量を切り替える切替設定であり、
前記切替制御手段は、前記音声操作スイッチが操作されたときに、前記音量の切替設定の操作方法を音声で報知するよう前記音声報知手段を制御することを特徴とする請求項１記載の加熱調理器。
【請求項３】
前記切替設定は、前記音声報知手段から発せられる音声の話速を切り替える切替設定であり、
前記切替制御手段は、前記音声操作スイッチが操作されたときに、前記話速の切替設定の操作方法を音声で報知するよう前記音声報知手段を制御することを特徴とする請求項１又は２記載の加熱調理器。
【請求項４】
前記切替設定は、前記音声報知手段から発せられる音声ガイドの有無を切り替える切替設定であり、
前記切替制御手段は、前記音声操作スイッチが操作されたときに、前記音声ガイドの有無の何れかの切替設定の操作方法を音声で報知するよう前記音声報知手段を制御することを特徴とする請求項１〜３の何れか１項に記載の加熱調理器。
【請求項５】
前記切替制御手段は、前記音声操作スイッチが操作される毎に、異なる切替設定の操作方法を順次に音声で報知するよう前記音声報知手段を制御することを特徴とする請求項１〜４の何れか１項に記載の加熱調理器。
【請求項６】
前記切替制御手段は、前記音声操作スイッチの操作間隔が予め設定された設定時間よりも短いときには、異なる切替設定の操作方法を順次に音声で報知するよう前記音声報知手段を制御し、前記音声操作スイッチの操作間隔が前記設定時間よりも長いときには、当該音声操作スイッチが最初に操作されたときの切替設定の操作方法から再び音声で報知するよう前記音声報知手段を制御することを特徴とする請求項５記載の加熱調理器。
【請求項７】
前記切替制御手段は、前記音声操作スイッチの操作間隔が予め設定された設定時間よりも短いときには、異なる切替設定の操作方法を順次に音声で報知するよう前記音声報知手段を制御し、前記音声操作スイッチの操作間隔が前記設定時間よりも長いときには、当該音声操作スイッチが操作されたときの同じ切替設定の操作方法を再び音声で報知するよう前記音声報知手段を制御することを特徴とする請求項５記載の加熱調理器。
【請求項８】
前記切替制御手段は、前記音声操作スイッチが操作されたときに音量の設定がゼロであった場合、前記音量の切替設定の操作方法を音声で報知するよう前記音声報知手段を制御することを特徴とする請求項６又は７記載の加熱調理器。
【請求項９】
前記切替制御手段は、前記音声操作スイッチが操作されたときに前記音量の設定がゼロでないときに、前記音声ガイドが無しに設定されていた場合には、前記音声ガイドの有無の何れかの切替設定の操作方法を音声で報知するよう前記音声報知手段を制御することを特徴とする請求項８記載の加熱調理器。
【発明の詳細な説明】
【技術分野】
【０００１】
本発明は、音声ガイド機能付きの加熱調理器に関するものである。
【背景技術】
【０００２】
従来の加熱調理器には、音量の切り替えなどの各種設定を、特殊な操作、例えば特定キーの長押し、複数キーの連続押し、複数キーの同時押しなどで行うものがある（例えば、特許文献１参照）。
【先行技術文献】
【特許文献】
【０００３】
【特許文献１】特開２０１１−２０２９００号公報
【発明の概要】
【発明が解決しようとする課題】
【０００４】
しかしながら、特許文献１に記載の加熱調理器においては、音量などの切り替え操作が複雑であるため、その操作方法を覚えるか、あるいは取扱説明書を参照しながら操作する必要があり、音量操作などの仕方がわかり難いという課題があった。
【０００５】
本発明は、前述のような課題を解決するためになされたもので、音量などの切替操作が容易にできる加熱調理器を提供することを目的とする。
【課題を解決するための手段】
【０００６】
本発明に係る加熱調理器は、被加熱物を加熱する加熱手段と、加熱手段により加熱される被加熱物の加熱状態を音声で報知する音声報知手段と、音声報知手段の報知音声の設定を切り替える音声操作スイッチと、音声操作スイッチの操作に応じて、音声報知手段から発せられる音声報知の切替設定の操作方法を音声で報知するよう音声報知手段を制御する切替制御手段とを備えたものである。
【発明の効果】
【０００７】
本発明によれば、音声操作スイッチの操作に応じて、音声報知手段から発せられる音声報知の切替設定の操作方法を音声で報知するよう音声報知手段を制御するようにしているので、切替操作が容易となり、加熱調理器の使い勝手が向上する。
【図面の簡単な説明】
【０００８】
【図１】本発明の実施の形態１に係る加熱調理器の斜視図である。
【図２】図１の操作部を拡大して示す正面図である。
【図３】図１に示す加熱調理器の概略構成の模式図及びブロック図である。
【図４】図１の加熱調理器における切替設定の動作を示すフローチャートである。
【図５】本発明の実施の形態２に係る加熱調理器における切替設定の動作を示すフローチャートである。
【図６】本発明の実施の形態３に係る加熱調理器における切替設定の動作を示すフローチャートである。
【図７】本発明の実施の形態４に係る加熱調理器における切替設定の動作を示すフローチャートである。
【発明を実施するための形態】
【０００９】
以下、本発明の加熱調理器の好適な実施の形態について図面を用いて説明する。なお、以下に説明する実施の形態によって本発明が限定されるものではない。また、図面における各構成部材の大きさ、形状は、説明のためにわかりやすく表しており、実際の大きさ、形状と異なる場合がある。
【００１０】
実施の形態１．
図１は本発明の実施の形態１に係る加熱調理器の斜視図、図２は図１の操作部を拡大して示す正面図である。
本実施の形態１に係る加熱調理器１００は、内部に加熱庫を有する本体１０と、本体１０の前面に隣接して設けられた扉２０および操作部３０とを備えている。なお、加熱庫の構成については、図３を用いて後述する。扉２０は、下側の両端部が本体１０に回動自在に軸支され、加熱庫の開口を開閉する。この扉２０には、電磁波の漏れを遮蔽する処理が施された覗き窓２０ａが設けられ、また、扉２０の上部には、扉２０を手前に引いて加熱庫の開口を開くハンドル２０ｂが設けられている。操作部３０は、キー操作に基づく設定情報、加熱状態などを表示する表示部３１と、加熱選択キー群３２と、仕上がりキー群３３と、時間設定キー群３４と、スタートキー３５と、とりけしキー３６と、音声操作スイッチである音声キー３７とを有している。
【００１１】
加熱選択キー群３２は、表示部３１の下側の位置に設けられ、レンジキー３２１と、レンジグリルキー３２２と、グリルキー３２３と、オーブンキー３２４と、レンジキー３２１の上方に配置された発光部３２５と、レンジグリルキー３２２の上方に配置された発光部３２６と、グリルキー３２３の上方に配置された発光部３２７と、オーブンキー３２４の上方に配置された発光部３２８とを有している。各発光部は、扉２０が開閉された際の初期状態では４つ全てが点灯し、加熱選択キー群３２の何れかのキーが選択された場合に、選択されたキーに対応する発光部だけが点灯し、その他の発光部は消灯するように構成されている。
【００１２】
仕上がりキー群３３は、加熱選択キー群３２の下側の位置であって、時間設定キー群３４とで形成された環形状の上半分に配置されている。仕上がりキー群３３は、環形状の上半分を左右に２分割して形成される扇形状の仕上がり調節プラスキー３３１および仕上がり調節マイナスキー３３２を有している。また、この仕上がりキー群３３は、仕上がり調節プラスキー３３１の外周縁に沿って形成された円弧形状の発光部３３３と、仕上がり調節マイナスキー３３２の外周縁に沿って形成された円弧形状の発光部３３４とを有している。
【００１３】
仕上がり調節プラスキー３３１および仕上がり調節マイナスキー３３２は、加熱調理器１００が使用されていない待機状態においては、音量設定モードでの音声報知手段３８（図３参照）の報知音声の音量の切り替え、話速設定モードでの音声の話速の切り替えスイッチとして機能する。報知音声の音量については、例えば、仕上がり調節プラスキー３３１をオン操作する毎に音量が高くなり、仕上がり調節マイナスキー３３２をオン操作する毎に音量が低くなって音量ゼロとなる。また、音声の話速については、例えば、仕上がり調節プラスキー３３１をオン操作する毎に話速が早くなり、仕上がり調節マイナスキー３３２をオン操作する毎に話速が遅くなる。
【００１４】
仕上がり調節プラスキー３３１および仕上がり調節マイナスキー３３２によって、音量が切り替えられているとき、その音量が表示部３１に表示され、また、仕上がり調節プラスキー３３１および仕上がり調節マイナスキー３３２によって、話速が切り替えられているときには、その話速が表示部３１に表示される。更に、仕上がり調節プラスキー３３１および仕上がり調節マイナスキー３３２によって選択される音声ガイドの有無が表示部３１に表示される。
【００１５】
前述の音量および話速の切り替えは、音声報知手段３８から報知される被加熱物２００の加熱状態の音声、例えば、加熱時間、残り加熱時間、調理終了などの音声に対して設定される。また、前述の音声ガイドの有りが選択された場合は、加熱状態の報知音声に対して設定された音量および話速が音声ガイドにも適用される。この音声ガイドは、操作部３０に設けられた各種のキーに対する操作ガイドである。
【００１６】
この仕上がり調節プラスキー３３１および仕上がり調節マイナスキー３３２は、加熱選択キー群３２の何れかのキーで加熱手段が選択された後においては、調理の仕上がりに関わる加熱の強弱を調節するスイッチとして機能する。仕上がり調節プラスキー３３１を操作する毎に被加熱物の調理の仕上がり具合が強まり、仕上がり調節マイナスキー３３２を操作する毎に調理の仕上がり具合が弱まる。
【００１７】
時間設定キー群３４は、仕上がりキー群３３とで形成された環形状の下半分に配置されている。時間設定キー群３４は、環形状の下半分を左右方向に３分割して形成される扇形状の５分キー３４１、１分キー３４２および１０秒キー３４３を有している。また、この時間設定キー群３４は、５分キー３４１の外周縁に沿って形成された円弧形状の発光部３４４と、１分キー３４２の外周縁に沿って形成された円弧形状の発光部３４５と、１０秒キー３４３の外周縁に沿って形成された円弧形状の発光部３４６とを有している。
【００１８】
５分キー３４１は、５分単位で加熱時間の設定を行うスイッチであり、１分キー３４２は、１分単位で加熱時間の設定を行うスイッチであり、１０秒キー３４３は、１０秒単位で加熱時間の設定を行うスイッチである。５分キー３４１、１分キー３４２および１０秒キー３４３を適宜組み合わせて操作することにより、加熱時間を任意に設定することができる。
【００１９】
スタートキー３５は、仕上がりキー群３３と時間設定キー群３４とで形成された環形状の中央の円形内に配置されている。スタートキー３５は、加熱選択キー群３２、仕上がりキー群３３および時間設定キー群３４に配置されている各キーで各種設定が行われた後に、加熱開始を指示するスイッチである。また、このスタートキー３５には、加熱開始が可能な場合に点滅する発光部３５１が設けられている。
【００２０】
とりけしキー３６は、時間設定キー群３４の左下側の位置に配置されている。とりけしキー３６は、加熱選択キー群３２、仕上がりキー群３３および時間設定キー群３４で行われた操作入力を解除するスイッチである。また、スタートキー３５が操作されて加熱が開始された後にとりけしキー３６を操作した場合、加熱が停止される。
【００２１】
音声キー３７は、加熱選択キー群３２の右下側の位置に配置されている。音声キー３７は、前述したように、加熱調理器１００が使用されていない待機状態において、音声報知手段３８から発せられる音声報知の切替設定の操作方法を音声で報知させたり、加熱スタート前に設定した加熱条件を確認したり、加熱動作中に残り加熱時間や加熱設定条件など音声で確認するためのスイッチである。
【００２２】
図３は図１に示す加熱調理器の概略構成の模式図及びブロック図である。
加熱調理器１００の本体１０の内部には、前述したように加熱庫５０が設けられている。加熱庫５０を正面から見て、左側の側板５１の上部に例えばサーミスタ６２が設置され、右側の側板５２の上部に赤外線センサー６１が設置されている。右側の側板５２の赤外線センサー６１と対向する面に開口窓５６が設けられている。サーミスタ６２は、加熱庫５０内の温度を検出し、赤外線センサー６１は、加熱庫５０内の被加熱物２００から発せられる赤外線（熱）を検出する。
【００２３】
加熱庫５０の天板５３の裏側には、天板５３を介して加熱庫５０の内部に収容された被加熱物２００を加熱する上ヒーター６０が設置されている。この上ヒーター６０は、例えば、ニクロム線をマイカで挟んで構成されるフラットヒーターである。加熱庫５０の底板５４には、底板５４に形成された開口部５５を覆う載置台５７が設けられている。載置台５７は、後述するマイクロ波を透過しやすいセラミックによって形成されている。
【００２４】
また、加熱庫５０の底板５４には、導波管７２が取り付けられている。この導波管７２には、マイクロ波を発振するマグネトロン７０と連結されたアンテナ７１が設置されている。マグネトロン７０によって発振されたマイクロ波は、アンテナ７１から照射され、導波管７２を伝播して加熱庫５０内に放射され、被加熱物２００を加熱する。載置台５７の下側の導波管７２内には、例えばシーズヒーターからなる下ヒーター７３が配設され、加熱庫５０の内部に収容された被加熱物２００を加熱する。加熱庫５０の背板には、被加熱物２００を加熱するガラス管ヒーター（図示せず）が設置されている。なお、前述したマグネトロン７０、上ヒーター６０、下ヒーター７３およびガラス管ヒーターで、被加熱物２００を加熱する加熱手段が構成されている。
【００２５】
キー判定手段４０は、加熱選択キー群３２、仕上がりキー群３３、時間設定キー群３４，スタートキー３５、とりけしキー３６および音声キー３７から出力される信号から何れのキーが操作されたかを判定し、判定したキーからの信号に基づく指示情報を制御回路４１に入力する。制御回路４１は、キー判定手段４０からの指示情報に基づいて、ヒーター駆動手段４５、マグネトロン駆動手段４４、表示部３１、音声報知手段３８を制御する。また、制御回路４１には、扉２０の開閉を検知するドア開閉検知手段４６が接続されている。
【００２６】
制御回路４１は、レンジキー３２１がオン操作されたときには、マグネトロン７０からマイクロ波が発振されるようにマグネトロン駆動手段４４を制御する。制御回路４１は、レンジグリルキー３２２がオン操作されたときには、前述したようにマグネトロン駆動手段４４を制御し、続いて、上ヒーター６０とガラス管ヒーターとに通電されるようにヒーター駆動手段４５を制御する。制御回路４１は、グリルキー３２３がオン操作されたときには、上ヒーター６０とガラス管ヒーターとに通電されるようにヒーター駆動手段４５を制御する。また、制御回路４１は、オーブンキー３２４がオン操作されたときには、上ヒーター６０と下ヒーター７３とに通電されるようにヒーター駆動手段４５を制御する。
【００２７】
この制御回路４１は、切替制御手段の機能を有し、タイマ４２およびメモリ４３を備えている。タイマ４２は、音声キー３７の操作間隔の時間、加熱時間などを計測するのに使用される。メモリ４３には、音声キー３７のオン操作に応じて、音声報知手段３８から発せられる音声の切替設定の操作方法を音声で報知させる音声データが格納されている。切替設定の内容としては、音声報知手段３８の報知音声の音量の切り替え（以下、「第１の切替設定」という）、音声報知手段から発せられる音声の話速の切り替え（以下、「第２の切替設定」という）、音声ガイドの有無の切り替え（以下、「第３の切替設定」という）などがある。
【００２８】
制御回路４１は、音声キー３７がオン操作される毎に、異なる切替設定である第１の切替設定、第２の切替設定および第３の切替設定の操作方法を順次に音声で報知するよう音声報知手段３８を制御し、音声報知手段３８から切替設定の操作方法を音声で報知させる。また、制御回路４１は、音声キー３７のオン操作の間隔が予め設定された設定時間（例えば、５秒）よりも短いときには、異なる第１の切替設定、第２の切替設定および第３の切替設定の操作方法を順次に音声で報知するよう音声報知手段３８を制御し、音声報知手段３８から切替設定の操作方法を音声で報知させる。また、制御回路４１は、音声キー３７のオン操作の間隔が前記５秒よりも長いときには、音声キー３７が最初に操作されたときの第１の切替設定の操作方法から再び音声で報知するよう音声報知手段３８を制御し、音声報知手段３８から切替設定の操作方法を音声で報知させる。
【００２９】
次に、前記のように構成された加熱調理器１００における報知音声の切替設定について、図４のフローチャートに基づいて説明する。
図４は図１の加熱調理器における切替設定の動作を示すフローチャートである。
加熱調理器１００が使用されていない待機状態において、音声キー３７をオン操作すると（ステップＳ１）、制御回路４１は、音声報知手段３８の報知音声の音量を切り替える第１の切替設定の操作方法（例えば、音声キーの２秒押し）を音声で報知するよう音声報知手段３８を制御し、音声報知手段３８から第１の切替設定の操作方法（例えば、「音量を設定するには、音声キーを２秒間押してください。」）を音声で報知させる（ステップＳ２）。そして、制御回路４１は、音声キー３７がオン操作されたかどうかを判定し（ステップＳ３）、音声キー３７のオン操作を検知しないときには、このステップＳ３で待機するが、音声キー３７のオン操作を検知したときには、そのオン操作の時間がステップＳ１の音声キー３７のオン操作から５秒が経過したかどうかをタイマ４２の計測時間から判定する（ステップＳ４）。
なお、ステップＳ３において、音声キー３７のオン操作の状態が２秒継続された場合、前述したようにステップＳ３において音声キー３７のオン操作を検出した時点で、ステップＳ１における音声キー３７のオン操作からの経過時間に応じて、ステップＳ２又はステップＳ５に進み、切替設定の操作方法の報知を行うが、ステップＳ３における音声キー３７のオン操作が２秒間継続された時点でステップＳ２又はステップＳ５での処理を中断して、音量設定モードに移行する。この音量設定モードは、前述したように、仕上がり調節プラスキー３３１あるいは仕上がり調節マイナスキー３３２の操作で音量の設定が行えるモードである。また、ステップＳ１において、音声キー３７のオン操作の状態が２秒継続された場合も、ステップＳ２に進むが、ステップＳ１における音声キー３７のオン操作が２秒間継続された時点でステップＳ２での処理を中断して、前述した音量設定モードに移行する。
【００３０】
制御回路４１は、音声キー３７のオン操作がステップＳ１の音声キー３７のオン操作から５秒経過していたときには、ステップＳ２に戻って、再び、第１の切替設定の操作方法を音声で報知するよう音声報知手段３８を制御し、音声報知手段３８から第１の切替設定の操作方法を音声で報知させる。一方、制御回路４１は、ステップＳ１の音声キー３７のオン操作から５秒経過する前に音声キー３７のオンを検知したときには、音声の話速を切り替える第２の切替設定の操作方法（例えば、１分キー３回、仕上がり調節マイナスキー１回の連続操作）を音声で報知するよう音声報知手段３８を制御し、音声報知手段３８から第２の切替設定の操作方法（例えば、「話速を設定するには、１分キー３回、マイナスキー１回を続けて押してください。」）を音声で報知させる（ステップＳ５）。そして、制御回路４１は、音声キー３７がオン操作されたかどうかを判定し（ステップＳ６）、音声キー３７のオン操作を検知しないときには、このステップＳ６で待機するが、音声キー３７のオン操作を検知したときには、そのオン操作の時間がステップＳ３の音声キー３７のオン操作から５秒経過したかどうかをタイマ４２の計測時間から判定する（ステップＳ７）。
なお、第２の切替設定の操作方法の報知（ステップＳ５）の後に、１分キー３回、マイナスキー１回が続けて押された場合には、ステップＳ６での判定を中断して、話速設定モードに移行する。この話速設定モードは、前述したように、仕上がり調節プラスキー３３１あるいは仕上がり調節マイナスキー３３２の操作で話速の設定が行えるモードである。
【００３１】
制御回路４１は、音声キー３７のオン操作がステップＳ３の音声キー３７のオン操作から５秒経過していたときには、ステップＳ２に戻って、再び、第１の切替設定の操作方法を音声で報知するよう音声報知手段３８を制御し、音声報知手段３８から第１の切替設定の操作方法を音声で報知させる。一方、制御回路４１は、ステップＳ３の音声キー３７のオン操作から５秒経過する前に音声キー３７のオンを検知したときには、音声ガイドの有無を切り替える第３の切替設定の操作方法（例えば、５分キー３回、仕上がり調節マイナスキー１回の連続操作）を音声で報知するよう音声報知手段３８を制御し、音声報知手段３８から第３の切替設定の操作方法（例えば、「音声ナビをなしに設定するには、５分キー３回、マイナスキー１回を続けて押してください。」）を音声で報知させる（ステップＳ８）。
【００３２】
そして、制御回路４１は、音声キー３７がオン操作されたかどうかを判定し（ステップＳ９）、音声キー３７のオン操作を検知しないときには、前述した動作を終了するが、音声キー３７のオン操作を検知したときには、ステップＳ２に戻って、再び、第１の切替設定の操作方法を音声で報知するよう音声報知手段３８を制御し、音声報知手段３８から第１の切替設定の操作方法を音声で報知させる。
【００３３】
以上のように本実施の形態１においては、音声キー３７がオン操作される毎に、異なる切替設定である第１の切替設定、第２の切替設定および第３の切替設定の操作方法を順次に音声で報知するようにしている。このように、音声キー３７をオン操作するだけで、各種設定操作の操作方法や設定状態、被加熱物の加熱状態を報知する音声の音量および話速の切り替え操作方法が容易にわかり、また、音声ガイドの有無の切替設定の操作方法も容易にわかり、加熱調理器１００の使い勝手が向上する。
【００３４】
実施の形態２．
図５は本発明の実施の形態２に係る加熱調理器における切替設定の動作を示すフローチャートである。なお、本実施の形態２においては、制御回路４１を除いて、実施の形態１の加熱調理器１００と同様の構成となっている。
本実施の形態２における制御回路４１は、実施の形態１と同様に、音声キー３７がオン操作される毎に、異なる切替設定である第１の切替設定、第２の切替設定および第３の切替設定の操作方法を順次に音声で報知するよう音声報知手段３８を制御し、音声報知手段３８から音量、話速、音声ガイドの切替設定の操作方法を音声で報知させる。
【００３５】
この制御回路４１は、音声キー３７のオン操作の間隔が予め設定された例えば５秒よりも短いときには、異なる第１の切替設定、第２の切替設定および第３の切替設定の操作方法を順次に音声で報知するよう音声報知手段３８を制御し、音声報知手段３８から音量、話速、音声ガイドの切替設定の操作方法を音声で報知させる。また、制御回路４１は、音声キー３７のオン操作の間隔が前記５秒よりも長いときには、音声キー３７がオン操作されたときと同じ切替設定の操作方法を再び音声で報知するよう音声報知手段３８を制御し、再び音声報知手段３８から切替設定の操作方法を音声で報知させる。
【００３６】
また、制御回路４１は、第１の切替設定、第２の切替設定および第３の切替設定の操作方法を音声で報知した後に、とりけしキー３６がオンされると、初期の状態に戻り、その後、音声キー３７がオン操作されたときには、第１の切替設定の操作方法を音声で報知するように構成されている。実施の形態１との違いは、とりけしキー３６を受付けるまでは、５秒以上の間隔で音声キー３７を受付ける毎に、同じ切替設定の操作方法を音声で報知することである。
【００３７】
次に、本実施の形態２の加熱調理器１００における報知音声の切替設定について、図５のフローチャートに基づいて説明する。
前述したように、加熱調理器１００が使用されていない待機状態において、音声キー３７をオン操作すると（ステップＳ１０）、制御回路４１は、音声報知手段３８の報知音声の音量を切り替える第１の切替設定の操作方法を音声で報知するよう音声報知手段３８を制御し、音声報知手段３８から第１の切替設定の操作方法を音声で報知させる（ステップＳ１１）。その後、制御回路４１は、とりけしキー３６がオン操作されたかどうか、次いで音声キー３７がオン操作されたかどうかを判定する（ステップＳ１２、ステップＳ１３）。
【００３８】
制御回路４１は、音声キー３７のオン操作を検知する前に、とりけしキー３６のオン操作を検知したときには、音声キー３７がオン操作されたかどうかの判定を行う（ステップＳ１０）。また、制御回路４１は、とりけしキー３６のオン操作を検知することなく、音声キー３７のオン操作を検知したときには、そのオン操作がステップＳ１０の音声キー３７のオン操作から５秒経過したかどうかをタイマ４２の計測時間から判定する（ステップＳ１４）。制御回路４１は、音声キー３７のオン操作がステップＳ１０の音声キー３７のオン操作から５秒経過したときには、ステップＳ１１に戻って、再び、第１の切替設定の操作方法を音声で報知するよう音声報知手段３８を制御し、音声報知手段３８から第１の切替設定の操作方法を音声で報知させる。
【００３９】
一方、制御回路４１は、ステップＳ１４において、音声キー３７のオン操作がステップＳ１０の音声キー３７のオン操作から５秒経過する前に音声キー３７のオンを検知したときには、音声の話速を切り替える第２の切替設定の操作方法を音声で報知するよう音声報知手段３８を制御し、音声報知手段３８から第２の切替設定の操作方法を音声で報知させる（ステップＳ１５）。その後、制御回路４１は、とりけしキー３６がオンされたかどうか、次いで音声キー３７がオン操作されたかどうかを判定する（ステップＳ１６、ステップＳ１７）。
【００４０】
制御回路４１は、音声キー３７のオン操作を検知する前に、とりけしキー３６のオン操作を検知したときには、初期状態に戻り、音声キー３７がオン操作されたかどうかの判定を行う（ステップＳ１０）。また、制御回路４１は、とりけしキー３６のオン操作を検知することなく、音声キー３７のオン操作を検知したときには、そのオン操作がステップＳ１３の音声キー３７のオン操作から５秒経過したかどうかをタイマ４２の計測時間から判定する（ステップＳ１８）。制御回路４１は、音声キー３７のオン操作がステップＳ１３の音声キー３７のオン操作から５秒経過していたときには、ステップＳ１５に戻って、再び、第２の切替設定の操作方法を音声で報知するよう音声報知手段３８を制御し、音声報知手段３８から第２の切替設定の操作方法を音声で報知させる。
【００４１】
一方、制御回路４１は、ステップＳ１８において、音声キー３７のオン操作がステップＳ１３の音声キー３７のオン操作から５秒経過する前に音声キー３７のオンを検知したときには、音声ガイドの有無を切り替える第３の切替設定の操作方法を音声で報知するよう音声報知手段３８を制御し、音声報知手段３８から第３の切替設定の操作方法を音声で報知させる（ステップＳ１９）。その後、制御回路４１は、とりけしキー３６がオンされたかどうか、次いで音声キー３７がオン操作されたかどうかを判定する（ステップＳ２０、ステップＳ２１）。
【００４２】
制御回路４１は、音声キー３７のオン操作を検知する前に、とりけしキー３６のオン操作を検知したときには、初期状態に戻り、音声キー３７がオン操作されたかどうかの判定を行う（ステップＳ１０）。また、制御回路４１は、とりけしキー３６のオン操作を検知することなく、音声キー３７のオン操作を検知したときには、そのオン操作の時間が５秒を経過したかどうかをタイマ４２の計測時間から判定する（ステップＳ２２）。
【００４３】
制御回路４１は、音声キー３７のオン操作がステップＳ１７の音声キー３７のオン操作から５秒経過していたときには、ステップＳ１９に戻って、再び、音声ガイドの有無を切り替える第３の切替設定の操作方法を音声で報知するよう音声報知手段３８を制御し、音声報知手段３８から第３の切替設定の操作方法を音声で報知させる。一方、制御回路４１は、音声キー３７のオン操作がステップＳ１７の音声キー３７のオン操作から５秒経過する前に音声キー３７のオンを検知したときには、ステップＳ１１に戻って、第１の切替設定の操作方法を音声で報知するよう音声報知手段３８を制御し、音声報知手段３８から第１の切替設定の操作方法を音声で報知させる。
なお、実施の形態１と同様に、ステップＳ１０において、音声キー３７のオン操作の状態が２秒継続された場合、ステップＳ１１に進むが、ステップＳ１１での処理を中断して、前述した音量設定モードに移行する。また、ステップＳ１３において、音声キー３７のオン操作の状態が２秒継続された場合、ステップＳ１０における音声キー３７のオン操作からの経過時間に応じて、ステップＳ１１又はステップＳ１５に進むが、ステップＳ１１又はステップＳ１５での処理を中断して、音量設定モードに移行する。更に、第２の切替設定の操作方法の報知（ステップＳ１５）の後に、１分キー３回、マイナスキー１回が続けて押された場合には、ステップＳ１６での判定を中断して、話速設定モードに移行する。
【００４４】
以上のように本実施の形態２においては、とりけしキーを受付けるまでは、５秒以上間隔を開けて音声キーを操作することで、各切替設定の操作方法の音声報知を繰り返して聞き直すことができるので、第２、第３の切替操作も容易に再確認でき、加熱調理器１００の使い勝手が向上する。
【００４５】
実施の形態３．
図６は本発明の実施の形態３に係る加熱調理器における切替設定の動作を示すフローチャートである。なお、本実施の形態３においては、制御回路４１を除いて、実施の形態１の加熱調理器１００と同様の構成となっている。
本実施の形態３における制御回路４１は、音声キー３７が操作されたときに報知音量の設定がゼロであった場合、第１の切替設定の操作方法を音声で報知するよう音声報知手段３８を制御し、音声報知手段３８から音量の切替設定の操作方法を音声で報知させる。また、制御回路４１は、第１の切替設定に基づく音量がゼロでないときに、音声ガイドが無しに設定されていた場合には、第３の切替設定の操作方法を音声で報知するよう音声報知手段３８を制御し、音声報知手段３８から音声ガイドの切替設定の操作方法を音声で報知させる。
【００４６】
また、制御回路４１は、音量がゼロでなく、音声ガイドが有りに設定されていた場合には、実施の形態１と同様に、音声キー３７がオン操作される毎に、異なる切替設定である第１の切替設定、第２の切替設定および第３の切替設定の操作方法を順次に音声で報知するよう音声報知手段３８を制御し、音声報知手段３８から音量、話速、音声ガイドの切替設定の操作方法を音声で報知させる。
【００４７】
更に、制御回路４１は、音声キー３７のオン操作の間隔が予め設定された設定時間（例えば、５秒）よりも短いときには、異なる第１の切替設定、第２の切替設定および第３の切替設定の操作方法を順次に音声で報知するよう音声報知手段３８を制御し、音声報知手段３８から切替設定の操作方法を音声で報知させる。また、制御回路４１は、音声キー３７のオン操作の間隔が前記５秒よりも長いときには、音声キー３７が最初に操作されたときの第１の切替設定の操作方法から再び音声で報知するよう音声報知手段３８を制御し、音声報知手段３８から切替設定の操作方法を音声で報知させる。
【００４８】
次に、本実施の形態３の加熱調理器１００における報知音声の切替設定について、図６のフローチャートに基づいて説明する。なお、図６に示すステップＳ３８〜ステップＳ４５は、図４に示すステップＳ１〜ステップＳ９と同様であるため、動作の説明を省略する。
前述したように、加熱調理器１００が使用されていない待機状態において、音声キー３７をオン操作すると（ステップＳ３１）、制御回路４１は、前回に設定された第１の切替設定の音量がゼロかどうかを判定する（ステップＳ３２）。制御回路４１は、音量がゼロでないと判定したときにはステップＳ３５に進むが、音量がゼロのときには、音声報知手段３８から音量がゼロに設定されていることを音声で（例えば、「音量０に設定されています。」と、）報知させる（ステップＳ３３）。次いで、制御回路４１は、音声報知手段３８の報知音声の音量を切り替える第１の切替設定の操作方法（例えば、音声キーの２秒押し）を音声で報知するよう音声報知手段３８を制御し、音声報知手段３８から第１の切替設定の操作方法（例えば、「音量を設定するには、音声キーを２秒間押してください。」）を音声で報知させる（ステップＳ３４）。ステップＳ３３、Ｓ３４の音声報知は、音声報知手段３８の報知音声の音量がゼロに次いで小さな音の設定値（音量１）で報知している。そして、制御回路４１は、ステップＳ３１に戻って、音声キー３７がオン操作されたかどうかの判定に入る。
【００４９】
また、制御回路４１は、ステップＳ３２において、前回に設定された第１の切替設定の音量がゼロでなく音量が設定されていると判定したときには、第３の切替設定に基づく音声ガイドが無しに設定されているかどうかを判定する（ステップＳ３５）。制御回路４１は、音声ガイドが有りと設定されていたときには、ステップＳ３８に進んで、実施の形態１と同様の動作に入る。
【００５０】
一方、制御回路４１は、音声ガイドが無しに設定されていた場合には、音声報知手段３８から音声ガイドが無しに設定されていることを音声で（例えば、「音声ナビなしに設定されています。」と、）報知させる（ステップＳ３６）。そして、制御回路４１は、音声ガイドの有無を切り替える第３の切替設定の操作方法（例えば、５分キー３回、仕上がり調節マイナスキー１回の連続操作）を音声で報知するよう音声報知手段３８を制御し、音声報知手段３８から第３の切替設定の操作方法（例えば、「音声ナビをありに設定するには、５分キー３回、マイナスキー１回を続けて押してください。」）を音声で報知させる（ステップＳ３７）。その後、制御回路４１は、ステップＳ３１に戻って、音声キー３７がオン操作されたかどうかの判定に入る。
【００５１】
以上のように本実施の形態３においては、前回に設定された第１の切替設定に基づく音量がゼロの場合に、音量がゼロであることを音声で報知すると共に、第１の切替設定（音量の切替設定）の操作方法を音声で報知するようにしている。また、音量がゼロではないときに、音声ガイドが無しに設定されていた場合には、音声ガイドが無しに設定されていることを音声で報知すると共に、第３の切替設定（音声ガイドの切替設定）の操作方法を音声で報知するようにしている。このように、音量ゼロや音声による操作方法のガイドが無い状態に設定されている場合であっても、音声キーを操作することで、音声による操作ガイドを有効にする方法を確認することができるので、容易に設定変更でき、加熱調理器１００の使い勝手が向上する。また、ステップＳ３３、Ｓ３４の音声報知の音量を、音量ゼロに次いで小さい音の設定（音量１）で報知するように構成されているので、深夜など、大きな音が迷惑となるような環境でも、周囲を気にすること無く、安心して操作方法を確認することができる。
【００５２】
実施の形態４．
図７は本発明の実施の形態４に係る加熱調理器における切替設定の動作を示すフローチャートである。なお、本実施の形態４においては、制御回路４１を除いて、実施の形態１の加熱調理器１００と同様の構成となっている。
本実施の形態４における制御回路４１は、音声キー３７が操作されたときに報知音量の設定がゼロであった場合、第１の切替設定の操作方法を音声で報知するよう音声報知手段３８を制御し、音声報知手段３８から音量の切替設定の操作方法を音声で報知させる。また、制御回路４１は、第１の切替設定に基づく音量がゼロでないときに、音声ガイドが無しに設定されていた場合には、第３の切替設定の操作方法を音声で報知するよう音声報知手段３８を制御し、音声報知手段３８から音声ガイドの切替設定の操作方法を音声で報知させる。
【００５３】
また、制御回路４１は、音量がゼロでなく、音声ガイドが有りに設定されていた場合には、実施の形態２と同様に、音声キー３７がオン操作される毎に、異なる切替設定である第１の切替設定、第２の切替設定および第３の切替設定の操作方法を順次に音声で報知するよう音声報知手段３８を制御し、音声報知手段３８から音量、話速、音声ガイドの切替設定の操作方法を音声で報知させる。
【００５４】
更に、制御回路４１は、音声キー３７のオン操作の間隔が予め設定された例えば５秒よりも短いときには、異なる第１の切替設定、第２の切替設定および第３の切替設定の操作方法を順次に音声で報知するよう音声報知手段３８を制御し、音声報知手段３８から音量、話速、音声ガイドの切替設定の操作方法を音声で報知させる。また、制御回路４１は、音声キー３７のオン操作の間隔が前記５秒よりも長いときには、音声キー３７がオン操作されたときと同じ切替設定の操作方法を再び音声で報知するよう音声報知手段３８を制御し、再び音声報知手段３８から切替設定の操作方法を音声で報知させる。
【００５５】
また、制御回路４１は、第１の切替設定、第２の切替設定および第３の切替設定の操作方法を音声で報知した後に、とりけしキー３６がオンされると、初期の状態に戻り、その後、音声キー３７がオン操作されたときには、第１の切替設定の操作方法を音声で報知するように構成されている。
【００５６】
次に、本実施の形態４の加熱調理器１００における報知音声の切替設定について、図７のフローチャートに基づいて説明する。なお、図７に示すステップＳ５８〜ステップＳ６９は、図５に示すステップＳ１１〜ステップＳ２２と同様であるため、動作の説明を省略する。
前述したように、加熱調理器１００が使用されていない待機状態において、音声キー３７をオン操作すると（ステップＳ５１）、実施の形態３と同様に、制御回路４１は、前回に設定された第１の切替設定の音量がゼロかどうかを判定する（ステップＳ５２）。制御回路４１は、音量がゼロでないと判定したときにはステップＳ５５に進むが、音量がゼロのときには、音声報知手段３８から音量がゼロに設定されていることを音声で報知させる（ステップＳ５３）。次いで、制御回路４１は、音声報知手段３８の報知音声の音量を切り替える第１の切替設定の操作方法を音声で報知するよう音声報知手段３８を制御し、音声報知手段３８から第１の切替設定の操作方法を音声で報知させる（ステップＳ５４）。ステップＳ５３、Ｓ５４の音声報知は、音声報知手段３８の報知音声の音量がゼロに次いで小さな音の設定値（音量１）で報知している。そして、制御回路４１は、ステップＳ５１に戻って、音声キー３７がオン操作されたかどうかの判定に入る。
【００５７】
また、制御回路４１は、ステップＳ５２において、前回に設定された第１の切替設定の音量がゼロでなく音量が設定されていると判定したときには、第３の切替設定に基づく音声ガイドが無しに設定されているかどうかを判定する（ステップＳ５５）。制御回路４１は、音声ガイドが有りと設定されていたときには、ステップＳ５８に進んで、実施の形態２と同様の動作に入る。
【００５８】
一方、制御回路４１は、音声ガイドが無しに設定されていた場合には、音声報知手段３８から音声ガイドが無しに設定されていることを音声で報知させる（ステップＳ５６）。そして、制御回路４１は、音声ガイドの有無を切り替える第３の切替設定の操作方法を音声で報知するよう音声報知手段３８を制御し、音声報知手段３８から第３の切替設定の操作方法を音声で報知させる（ステップＳ５７）。その後、制御回路４１は、ステップＳ５１に戻って、音声キー３７がオン操作されたかどうかの判定に入る。
【００５９】
以上のように本実施の形態４においては、実施の形態３と同様に、前回に設定された第１の切替設定に基づく音量がゼロの場合に、音量がゼロであることを音声で報知すると共に、第１の切替設定（音量の切替設定）の操作方法を音声で報知するようにしている。また、音量がゼロではないときに、音声ガイドが無しに設定されていた場合には、音声ガイドが無しに設定されていることを音声で報知すると共に、第３の切替設定（音声ガイドの切替設定）の操作方法を音声で報知するようにしている。このように、音量ゼロや音声による操作方法のガイドが無い状態に設定されている場合であっても、音声キーを操作することで、音声による操作ガイドを有効にする方法を確認することができるので、わざわざ取扱説明書を確認して、操作方法を調べる必要がなく、容易に設定変更でき、加熱調理器１００の使い勝手が向上する。また、ステップＳ５３、Ｓ５４の音声報知の音量を、音量ゼロに次いで小さい音の設定（音量１）で報知するように構成されているので、深夜など、大きな音が迷惑となるような環境でも、周囲を気にすること無く、安心して操作方法を確認することができる。
なお、実施の形態１〜４では、音声キー操作時に、音量などの切替設定を行う為のモードに移行するための操作方法を音声報知する例の説明を行ったが、切替設定モードへの移行操作は設けずに、音声キーを操作して切替設定方法を確認した後に、直接、その切替設定方法により、音量や話速の変更操作を行うように構成することも可能である。この場合、ステップＳ１１やＳ１５、Ｓ１９で音声報知する報知内容は、切替設定を行う為のモードに移行するための操作方法ではなく、音量や、話速の切替設定をする操作（例えば、プラスキー、マイナスキーによる操作方法）を報知するとよい。
【符号の説明】
【００６０】
１０  本体、２０  扉、２０ａ  覗き窓、２０ｂ  ハンドル、３０  操作部、３１  表示部、３２  加熱選択キー群、３２１  レンジキー、３２２  レンジグリルキー、３２３  グリルキー、３２４  オーブンキー、３２５、３２６、３２７、３２８  発光部、３３  仕上がりキー群、３３１  仕上がり調節プラスキー、３３２  仕上がり調節マイナスキー、３３３、３３４  発光部、３４  時間設定キー群、３４１  ５分キー、３４２  １分キー、３４３  １０秒キー、３４４、３４５、３４６  発光部、３５  スタートキー、３５１  発光部、３６  とりけしキー、３７  音声キー、３８  音声報知手段、４０  キー判定手段、４１  制御回路、４２  タイマ、４３  メモリ、４４  マグネトロン駆動手段、４５  ヒーター駆動手段、４６  ドア開閉検知手段、５０  加熱庫、５１、５２  側板、５３  天板、５４  底板、５５、５６  開口部、５７  載置台、６０  上ヒーター、６１  赤外線センサー、６２  サーミスタ、７０  マグネトロン、７１  アンテナ、７２  導波管、７３  下ヒーター、１００  加熱調理器、２００  被加熱物。
【図１】
2018141612.tif 000003
【図２】
2018141612.tif 000004
【図３】
2018141612.tif 000005
【図４】
2018141612.tif 000006
【図５】
2018141612.tif 000007
【図６】
2018141612.tif 000008
【図７】
2018141612.tif 000009